(57)【要約】【課題】  展示室のサンプル商品等の交換作業を容易にするとともに、悪戯等の防犯対策の容易な自動販売機の扉装置を提供する。【解決手段】  自動販売機の前面に開閉可能に配設された扉装置１において、前面を一体に覆う外殻３ａを有する扉本体３と、扉本体３の前面に外殻３ａを凹状に形成して設けたサンプル商品２１等を展示する展示室４と、展示室４の前面を開閉可能に覆う展示扉８と、展示扉８を閉じた状態に保持する展示扉閉塞手段２７と、展示扉閉塞手段２７に作用して展示扉８を開放する展示部開放手段１５とを備え、展示扉８はバネ部材１３により開放する方向に付勢され、展示部開放手段１５は、展示扉８を開放するための展示扉開放操作部１５ａを扉本体３の前面に設ける。【選択図】      図１
2005346253.tif 000002
【特許請求の範囲】
【請求項１】
前面を一体に覆う外殻を有する扉本体と、前記扉本体の前面に前記外殻を凹状に形成して設けたサンプル商品等を展示する展示室と、前記展示室の前面を開閉可能に覆う展示扉と、前記展示扉を閉じた状態に保持する展示扉閉塞手段と、前記展示扉閉塞手段に作用して前記展示扉を開放する展示部開放手段とを備えて自動販売機の前面に開閉可能に配設された扉装置において、前記扉装置は前記展示扉を開放する方向に付勢するバネ部材を備え、前記展示部開放手段は、前記展示扉を開放するための展示扉開放操作部を前記扉本体の前面に設けたことを特徴とする自動販売機の扉装置。
【請求項２】
前記扉本体を開閉するための扉開閉レバーと、前記扉開閉レバーを施錠するレバー施錠部とを備え、前記扉開閉レバー、前記レバー施錠部、および前記展示扉開放操作部を、前記扉本体の前面の一方側に寄せて配設したことを特徴とする請求項１に記載の自動販売機の扉装置。
【発明の詳細な説明】
【技術分野】
【０００１】
本発明は、自動販売機本体前面を開閉する扉装置に関し、特にその前面に商品サンプル等を展示する展示室を備えたものに関する。
【背景技術】
【０００２】
従来のこのような自動販売機の扉装置としては、特開２００２−９２７１７号公報に記載されたものが知られている。この自動販売機の扉装置は、自動販売機の本体前面を開閉する扉装置であって、例えば一枚の板金部材をプレス加工して、扉本体の前面と、前面に設けられるサンプル商品等を展示するための展示凹部とを一体成形し、その展示凹部を前方から開閉自在に覆い、かつ展示凹部内が透視可能な展示扉を備えている。
そして、この従来の自動販売機の扉装置は、扉本体の前面に設けられた展示凹部内のサンプル商品や広告パネル等を取り替える場合に、扉本体を開放し、扉本体の背面側に配設された展示扉のロック装置を解錠して展示扉を前面側に開放し、扉本体の前面から展示凹部に展示されたサンプル商品や広告パネル等を取り外し、新たなサンプル商品や広告パネル等を取り付けるように構成されている。
【特許文献１】特開２００２−９２７１７号公報
【発明の開示】
【発明が解決しようとする課題】
【０００３】
ところで、この従来の自動販売機の扉装置は、サンプル商品等を展示するための展示凹部が扉本体の前面と一枚の板金部材により一体に形成されているから、展示凹部に展示されるサンプル商品等を扉本体の裏側から交換可能に構成することが非常に困難である。すなわち、扉本体の展示凹部に展示されるサンプル商品等を変更する場合は、扉本体を開放し、扉本体の背面側に配設された展示扉のロック装置を解錠して展示扉を前面側に開放し、さらに扉本体の前面に廻ってから展示部のサンプル商品等を交換する面倒な作業が必要であった。
しかしながら、近年、商品の多様化、およびその集客効果の短期化によって、扉本体に展示されたサンプル商品等の交換機会が多くなり、このサンプル商品等の交換の都度、自動販売機の前面の扉本体を開放して展示扉を開放し、さらにその前面に廻ってサンプル商品等を交換する作業が非常に煩わしいものとなっていた。
【０００４】
本発明は、このような問題を解決するため、扉本体を開放するすることなく扉本体内に展示されたサンプル商品等の交換作業を容易に行うことができるとともに、さらに悪戯等の防犯対策の容易な自動販売機の扉装置を提供することを目的とするものである。
【課題を解決するための手段】
【０００５】
上記課題を解決するため、請求項１にかかる発明は、前面を一体に覆う外殻を有する扉本体と、前記扉本体の前面に前記外殻を凹状に形成して設けたサンプル商品等を展示する展示室と、前記展示室の前面を開閉可能に覆う展示扉と、前記展示扉を閉じた状態に保持する展示扉閉塞手段と、前記展示扉閉塞手段に作用して前記展示扉を開放する展示部開放手段とを備えて自動販売機の前面に開閉可能に配設された扉装置において、前記扉装置は前記展示扉を開放する方向に付勢するバネ部材を備え、前記展示部開放手段は、前記展示扉を開放するための展示扉開放操作部を前記扉本体の前面に設けたものである。これによれば、前記扉本体を閉じた状態で、その前面から前記展示扉開放操作部を操作し、前記展示扉を前記バネ部材によりその開放する方向に付勢して開放し、前記サンプル商品等を交換することができる。
【０００６】
請求項２にかかる発明は、請求項１に記載の自動販売機の扉装置において、前記扉本体を開閉するための扉開閉レバーと、前記扉開閉レバーを施錠するレバー施錠部とを備え、前記扉開閉レバー、前記レバー施錠部、および前記展示扉開放操作部を、前記扉本体の前面の一方側に寄せて配設したことにより、前記展示扉開放操作部が何を目的に設けられたか推測し難くし、例えば、それを前記扉本体を解錠するための施錠部に見せ掛けることができる。
【発明の効果】
【０００７】
以上説明したように請求項１に係る発明によれば、扉本体を閉じた状態で、その前面から展示扉開放操作部を操作し、展示扉を前記バネ部材によりその開放する方向に付勢して開放し、サンプル商品等を交換することができるから、サンプル商品や広告パネル等の交換作業を容易に行うことができる。
また、この場合にサンプル商品等を展示する展示室は扉本体の前面を覆う外殻を凹状に形成して設けられるから、展示扉開放操作部が悪戯により破壊されて展示扉が開放されても自動販売機の本体内部に被害が波及することが防止される。すなわち、この場合、展示扉開放操作部を必要以上に堅牢に構成する必要がないから、これを簡単に構成してコストを安くすることができる。
また、請求項２に係る発明によれば、請求項１に記載の発明において、展示扉開放操作部が何を目的に設けられたか推測し難くし、例えば、それを扉本体を解錠するための施錠部に見せ掛けることができる。これにより、扉本体がレバー施錠部と他の施錠手段により複数箇所に渡り施錠されているように見せることができるから、万一金銭や商品の盗難目的でこの施錠手段を破壊して扉本体を開けようとした場合には、相当に時間が掛かり困難なように見せ掛けることができる。すなわち、悪戯者の窃盗意欲を消沈させて盗難対策を容易にすることができる。
【発明を実施するための最良の形態】
【０００８】
本発明の実施形態について図を参照して説明する。
図１は本発明の実施形態の自動販売機の扉装置を示す正面図、図２は本発明の実施形態の自動販売機の扉装置において展示扉を開いた状態を示す斜視図、図３は本発明の実施形態の自動販売機の扉装置を開いた状態を示す斜視図、図４は本発明の実施形態の自動販売機の扉装置のサンプル展示台にサンプル商品が載置される状態を示す斜視図である。
図１に示すように、この自動販売機の扉装置１は、扉本体３と、扉本体３に形成された展示室４と、操作パネル部５と、扉本体３の下方に開口形成され内方から搬出された商品を取り出すための取出口６と、釣銭等を取り出すための硬貨返却口７等とを備えている。
展示室４は、図２に示すように扉本体３の前面を覆う一枚の板金部材を凹状に形成した展示凹部４ａと、この展示凹部４ａの前面を前方から開閉自在に覆う展示扉８等とによって構成されている。そして、この展示室４の内部にはサンプル商品２１や広告パネル２２等が展示されている。展示扉８は、展示室４内が透視可能なように、透明アクリル等で形成されたパネル８ａを備え、その周囲はサッシュ８ｂで囲繞されている。そして、この展示扉８は、左側端部がヒンジ９によって扉本体３に枢支され、展示凹部４ａを前方から開閉自在に構成されている。また、この展示扉８の右側端には、後述のラッチ部（展示扉閉塞手段）２７と係合して展示扉８を閉じた状態で扉本体３に保持するロック部材１０が設けられている。
【０００９】
この展示扉８のパネル８ａには、商品の購入者が商品を選択するための選択ボタン１１がサンプル商品２１に対応するように複数取付けられている。また、サッシュ８ｂの背面にはシリコンゴム等の軟質素材で形成されたシール部材８ｃが周囲を取り囲むように配設され、展示扉８を閉じたときにこのシール部材８ｃが扉本体３側の展示凹部４ａ周囲に設けられた段部４ｂに当たり、この段部４ｂとサッシュ８ｂとで狭持されることによって展示室４が水密にシールされるように構成されている。また、サッシュ８ｂの背面には展示凹部４ａ周囲に設けられた段部４ｂとの間に狭さまれて、展示扉８を開放する方向に押圧するコイルスプリン（バネ部材）１３がヒンジ９と対向す一方の側端に設けられている。
展示室４の側方に配設された操作パネル部５には、展示扉８の解錠を行う鍵部（展示部開放手段）１５のキー挿入部（展示扉開放操作部）１５ａ、投入金額等を表示する表示器１６、紙幣挿入口１７、扉本体３を施錠および開閉するためのロックレバー（扉開閉レバー）１８、ロックレバー１８の施錠を行うレバー鍵部（レバー施錠部）１９、つり銭等を返却する返却レバー２０、硬貨投入口１２等が配設されている。
【００１０】
ここで、扉本体３は、例えば一枚の板金部材をプレス加工し、その前面を継ぎ目なく一体に形成した外殻部（外殻）３ａを備える。そして、扉本体３の前面には、展示室４を構成するとともにサンプル商品２１等を展示るための展示凹部４ａが形成されており、この展示凹部４ａもその一枚の板金部材をプレス加工することにより、扉本体３の前面に継ぎ目なく一体に形成されている。この展示凹部４ａの周囲には、展示扉８のシールしろとなる段部４ｂが形成され、また、その奥面には、サンプル商品２１を展示する複数のサンプル展示台２５を取り付けるためのサンプル取付面４ｃと、この取付面４ｃの下方に形成され、広告パネル２２等を表示するための広告表示面４ｄとを備えている。
図３に示すように扉本体３の背面側には、前面側の展示扉８に設けられたロック部材１０に対応してラッチ部２７が各々設けられている。このラッチ部２７は扉本体３の外殻部３ａを貫通して背面側に突出するロック部材１０と係合することにより、展示扉８を展示室４の前面に閉じた状態で保持する。また、これらのラッチ部２７は、しなやかで湾曲自在なリードワイヤ２８ａ、２８ｂによって前面にキー挿入部１５ａを有する鍵部１５と連結されている。そして、扉本体３の前面からキー挿入部１５ａに図示しないキーを挿入して回すと、この動作がリードワイヤ２８ａ、２８ｂを介してラッチ部２７に伝わってラッチ部２７の図示しない係合部が作動し、これとロック部材１０との係合が解かれる。そして、これにより展示扉４が開放される。
【００１１】
また、扉本体３の背面側には、前面の紙幣挿入口１７、硬貨投入口１２に対応してそれぞれ紙幣識別装置３１、硬貨識別装置３２が設けられている。さらに、硬貨識別装置３２の下方には、投入された硬貨を集積する硬貨金庫３３が設けられている。
また、扉本体３の後方、および本体２の内部には販売する商品を収納する商品収納コラム３５が配設されている。さらに、商品収納コラム３５の下方には商品収納コラム３５から払い出された商品を扉本体３下方の取出口６に搬出する商品搬出シュート３６が配設されている。
このように構成された本実施形態の自動販売機の扉装置１において、展示室４に展示されたサンプル商品２１や広告パネル２２等を交換する動作について説明する。
図１に示すように展示扉８が閉じられた状態では、展示扉８の背面側端に設けられたロック部材１０が扉本体３の背面側に設けられたラッチ部２７と係合し展示扉８の回動が阻止された状態にある。このような状態において、展示室４内に展示されたサンプル商品２１や広告パネル２２等を交換するには、扉本体３の前面の展示室４の右側に配設されたキー挿入部１５ａに図示しないキーを差し込んで回す。すると、鍵部１５の内部に設けられた図示しないシリンダー部が回動して、これと連結されたリードワイヤ２８ａ、２８ｂが引かれてラッチ部２７の図示しない係合部に作用し、この係合部と展示扉８に設けられたロック部材１０と係合が外れる。これにより、展示扉８は手前に回動可能な状態となる。このとき、展示扉８は、コイルスプリング１３によって一方の側端が、展示室４の周囲の段部４ｂから手前に押し出される。そして、展示扉８のこの一方の側端を手前に引くと、図２示すように展示扉８が手前に回動して開放される。
【００１２】
このようにして、展示室４の奥面のサンプル取付面４ｃに設けられたサンプル展示台２５に載置されたサンプル商品２１等が交換可能となる。そして、図４に示すように、サンプル展示台２５のサンプルホルダー部２５ａに載置されたサンプル商品２１やその前方に表示された価格ラベル２３を交換する。また、サンプル取付面４ｃの下方に形成された広告表示面４ｄに掲示された広告パネル２２を必要に応じて交換する。
そして、商品サンプル２１や広告パネル２２等の交換が完了したら、展示扉８を展示凹部４ａの前面に押し戻す。ここで、扉本体３の背面側に配設されたラッチ部２７の図示しない係合部は、展示扉８の背面側端に設けられたロック部材１０が扉本体３の背面側に突出すると、常時はこれを係合可能な待機状態におかれているので、展示扉８がその背面のコイルスプリング１３の押圧力に抗して展示凹部の前面に押し戻されると、ラッチ部２７の係合部とロック部材１０が係合し、展示扉８が容易に展示凹部４ａの前面を閉塞して保持される。
【００１３】
このように、本実施の形態によれば、扉本体３を閉じた状態で、その前面のキー挿入部１５ａにキーを挿入して操作することにより、その前面に設けられた展示室４の展示扉８がコイルスプリング１３により前方に押し出されて開放され、サンプル商品２１や広告パネル２２等を交換することができるから、その交換作業を容易に行うことができる。
また、扉本体３の前面のキー挿入部１５ａを有する鍵部１５が悪戯等により破壊された場合にも、それとしなやかなリードワイヤ２８ａ、２８ｂで連結されるラッチ部２７はその影響を受け難いから、ラッチ部２７の係合部と展示扉８のロック部材１０との係合が外れ難い。すなわち、鍵部１５が壊されても展示扉８が容易に開放しないので悪戯に対する防御性を向上させることができる。さらに、悪戯等により展示扉８が開放された場合にも、サンプル商品２１等を展示する展示室４は扉本体３の前面を覆う外殻部１５ａを凹状に継ぎ目なく形成されこれと一体に設けられるから、自動販売機の内部に被害が波及することが防止される。したがって、鍵部１５を、例えば容易に破壊できないように堅牢に構成しなくても、扉本体３の背面側に配設された硬貨金庫３３等に収納された金銭や、本体２内の商品収納コラム３５に収納された商品等の盗難を防止することができる。すなわち、展示扉３を開放操作する鍵部１５を簡単に構成しコストを安くすることができる。
【００１４】
また、扉本体３を施錠および開閉するためのロックレバー１８、ロックレバー１８の施錠を行うレバー鍵部１９、および展示扉３を開放するためのキー挿入部１５ａは、扉本体３の前面の右側に寄せて配置されているから、これらの中でキー挿入部１５ａが何を目的に設けられているか推測し難く、例えば、それを悪戯者に対して扉本体３を施錠する施錠部に見せ掛けることができる。したがって、扉本体３がレバー鍵部１９を含めて複数の施錠手段により施錠されているように見せ掛けることができるから、悪戯者が金銭や商品の盗難を目的にこれらの施錠部１５ａ、１９を破壊して扉本体を開けようとする場合は、相当に時間が掛かり困難なように見せ掛けることができる。すなわち、これによってこのような悪戯意識を消沈させて盗難を容易に防止することができる。また、この自動販売機の管理者以外は、本体扉３の施錠を解く方法が分かり難いので、錠部１５とともにレバー鍵部１９も同様に頑丈に構成しなくても防犯性を確保できる。
【００１５】
なお、本発明の実施の形態においては、レバー鍵部１９をロックレバー１８内に配置したが、レバー鍵部１９をロックレバー１８と別の位置に配設してももちろん良い。本発明は、言うまでもなく本実施の形態の示す装置のみに限定されず、本発明の趣旨の包含する範囲で応用変更が可能である。
【図面の簡単な説明】
【００１６】
【図１】本発明の実施形態の自動販売機の扉装置を示す正面図である。
【図２】本発明の実施形態の自動販売機の扉装置において、展示扉を開いた状態を示す斜視図である。
【図３】本発明の実施形態の自動販売機の扉装置をを開いた状態を示す斜視図である。
【図４】本発明の実施形態の自動販売機の扉装置のサンプル展示台にサンプル商品が載置される状態を示す斜視図である。
【符号の説明】
【００１７】
１  扉装置
３  扉本体
３ａ  外殻部（外殻）
４  展示室
８  展示扉
１０  ロック部材
１３  コイルバネ（バネ部材）
１５  鍵部（展示部開放手段）
１５ａ  キー挿入部（展示扉開放操作部）
１８  ロックレバー（扉開閉レバー）
１９  レバー鍵部（レバー施錠部）
２１  サンプル商品
２２  広告パネル
２７  ラッチ部（展示扉閉塞手段）
２８ａ  リードワイヤ
２８ｂ  リードワイヤ
【図１】
2005346253.tif 000003
【図２】
2005346253.tif 000004
【図３】
2005346253.tif 000005
【図４】
2005346253.tif 000006